(57)【要約】【課題】  簡単な作業で、配線類の配索位置に応じて、前記配線類を挿通するための挿通部を設けることを可能にする。【解決手段】  建築物のフロアのベースＢの上に配置される床材１００の縁部Ｅと、ベースＢから立直する壁Ｗとの隙間を覆うように設置されるカバー部材２００であって、床材１００と接続される接続部２１３及び壁Ｗに対向する対向部２１２を有し、金属材料等の硬質材料で形成された本体部２１０と、ベースＢから立直する壁Ｗに当接可能な状態で対向部２１２に固定された当接部材２２０とを備え、この当接部材２２０は、本体部２１０に使用されている材料よりも強度の低い材料である合成ゴム、発泡ウレタン等により形成されていて、部分的に切除することが可能となるように構成されている。【選択図】      図５
2005240468.tif 000002
【特許請求の範囲】
【請求項１】
建築物のフロアのベース部分の上に配置される床材の縁部と、前記ベース部分から立直する壁面との隙間を覆うように設置されるカバー部材であって、
前記床材と接続される接続部及び前記壁面に対向する対向部を有する本体部と、
前記ベース部分から立直する壁面に当接可能な状態で前記対向部に固定された当接部材とを備え、
前記本体部は、前記当接部材に使用されている材料よりも曲げ剛性の高い材料で形成され、
前記当接部材は、前記本体部に使用されている材料よりも切断容易な材料により形成されていて、部分的に切除することが可能となるように構成されている
ことを特徴とするカバー部材。
【請求項２】
請求項１記載のカバー部材において、
前記本体部は、前記床材が形成する床面と略平行をなす状態で前記隙間を覆うように配置されるカバー部を有し、このカバー部の一部が前記床材の縁部と接続される接続部とされ、
前記対向部は、前記カバー部において前記接続部と反対側の端部から略垂直をなす角度で下方に向かって伸びる形状に形成され、この対向部の前記壁面に対向する面に前記当接部材が固定されている
ことを特徴とするカバー部材。
【請求項３】
請求項２記載のカバー部材において、
前記カバー部とともに前記床材の縁部を挟持すべく、前記対向部のうち前記カバー部よりも下方に位置する箇所から前記カバー部と略平行をなす角度で前記カバー部が形成されている側に伸びる挟持部が形成されている
ことを特徴とするカバー部材。
【請求項４】
請求項１〜３のいずれか１項に記載のカバー部材において、
前記本体部は、金属又は合成樹脂素材で形成され、前記当接部材は、前記本体部よりも軟質の合成樹脂又はゴム素材で形成された
ことを特徴とするカバー部材。
【請求項５】
請求項１〜４のいずれか１項に記載のカバー部材において、
前記当接部材は、エラストマーで形成された
ことを特徴とするカバー部材。
【請求項６】
建築物のフロアのベース部分の上に配置される床材と、前記床材の縁部と前記ベース部分から立直する壁面との隙間を覆うように配置される請求項１〜５のいずれか１項に記載のカバー部材とを備えた
ことを特徴とする床材とカバー部材。
【請求項７】
建築物のフロアのベース部分の上に床材が配置され、この床材の縁部と前記ベース部分から立直する壁面との隙間を覆うように請求項１〜５のいずれか１項に記載のカバー部材が配置される建築物の床構造であって、
少なくとも一部分が前記壁面に略沿った状態で配線類が配索され、
前記カバー部材には、その当接部材の一部が切除されることにより、前記配線類を挿通するための挿通部が形成され、
前記カバー部材は、その接続部が前記床材の縁部に接続され、前記当接部材が前記壁面に当接し、かつ、前記挿通部に前記配線類が挿通された状態で、前記隙間を覆うように配置されていることを特徴とする建築物の床構造。
【請求項８】
建築物のフロアのベース部分の上に配置される床材の縁部と前記ベース部分から立直する壁面との隙間を覆うように請求項１〜５のいずれか１項に記載のカバー部材を配置する建築物の床構造の施工方法であって、
少なくとも一部分が前記壁面に略沿った状態で配線類を配索する配索工程と、
前記カバー部材の当接部材の一部を切除することにより、前記配線類を挿通するための挿通部を形成する挿通部形成工程と、
前記接続部を前記床材の縁部に接続し、かつ、前記当接部材が前記壁面に当接するように前記カバー部材を配置する配置工程とを含み、
前記挿通部形成工程では、前記配置工程により配置されるカバー部材の挿通部に前記配線類が挿通可能となるように当該挿通部の形成位置を設定することを特徴とする建築物の床構造の施工方法。
【発明の詳細な説明】
【技術分野】
【０００１】
本発明は、建築物のフロアのベース部分を、前記ベース部分の上に配置される床材とともに被覆するためのカバー部材、及び、このカバー部材を用いた前記建築物の床構造、及び、この床構造を施工するための施工方法に関するものである。
【背景技術】
【０００２】
建築物において、オフィス等に使用される場合の床構造としては、例えば特許文献１に記載された構造のように、電話線、ＬＡＮケーブル、電線等の配線類を配索すべく、前記建築物のフロアのベース上に床材が配置され、この床材の上面を床とし、この床と前記ベースとの間に形成された空間に前記配線類を配索する構造が広く用いられている。
【０００３】
前記構造には、図８に示すとおり、フロアのベースＢ上に、上面が床となるブロック材１が配置され、このフロアのベースＢ上において当該ブロック材１と壁Ｗとの間の空間には、カバー部材１０と、補助部材２０とが配置されている。
【０００４】
ブロック材１は金属又は硬質の合成樹脂で、略正方形の断面を有する直方体の形状に形成されており、上面視において略十字形状に前記配線類を配索するための配線溝２が形成されている。そして、この配線溝２を覆うようにブロック材１の上面同士を繋ぐ被覆部材３が配置されている。
【０００５】
カバー部材１０は、金属又は硬質の合成樹脂で、略Ｌ字型の断面を有した状態で一方向に伸びる形状に形成されており、垂直面１１と、垂直面１１と略垂直をなす状態に形成された水平面１２と、垂直面１１と水平面１２との境界部分に、前記配線類を挿通させるべく穿設された複数の開口部１３とを備えている。そして、垂直面１１は、壁Ｗに当接しつつベースＢから立直する状態で配置され、水平面１２が、ベースＢと略水平をなす状態に配置されている。
【０００６】
補助部材２０は、ブロック材１と同様、金属又は硬質の合成樹脂で、略正方形の断面を有する直方体の形状に形成されており、上面視において略十字形状に前記配線類を配索するための溝部２１が形成されているが、その大きさはブロック材１よりも小さい。
【０００７】
そして、補助部材２０はブロック材１とカバー部材１０との間に形成されている空間に、ブロック材１に隣接した位置に配置されており、この補助部材２０の上面には、カバー部材１０の水平面１２が載せられている。なお、補助部材２０の上面において、補助部材２０が載せられていない部分には、補助カバー３０が載せられている。
【０００８】
この構造では、ブロック材１の上面、カバー部材１０の水平面１２の上面、及び、補助カバー３０の上面が、床部分となり、カバー部材１０の開口部１３が、壁Ｗの際に配置されることになる。
【０００９】
このような構造を採ると、配線溝２及び溝部２１に前記配線類を配索し、この配線類がほぼ壁Ｗに沿わせた状態で前記開口部１３に挿通すること、すなわち前記配線類が前記カバー部に挿通することが可能となる。
【特許文献１】特許２９９９７２５号公報
【発明の開示】
【発明が解決しようとする課題】
【００１０】
前記構成は、カバー部材１０の垂直面１１が直接壁Ｗに当接するように当該カバー部材１０が配置され、かつ、このカバー部材１０に予め穿設された複数の開口部１３のうちの適当な開口部１３に配線類を挿通するようにして当該配線類が配索されるものであるが、当該配線類の配索位置は施工現場によって種々異なるので、当該配索位置と前記開口部１３の穿設位置とが必ずしも合致するとは限らない。また、種々の配索位置に対応できるように開口部１３の穿設箇所を増やすと、実際には配線類が挿通されない（すなわち開いたままの）無駄な開口部１３が増えてしまうことになる。
【００１１】
このような不都合を解消する手段として、前記開口部１３を作業現場において実際の配線類の配索位置に合わせて穿設することが考えられるが、前記カバー部材１０は必要強度を確保するために一般には金属材料や硬質の合成樹脂材料で形成されていることが多く、このようなカバー部材１０に前記開口部１３を現場で加工するのは容易でない。
【００１２】
また、前記開口部１３を設ける代わりに、前記カバー部材１０の垂直面１１と壁Ｗとの間に配線用の隙間を開けて当該カバー部材１０を配置することも考えられるが、かかる場合、前記配線類を配索するのに好適な隙間寸法が得られるようにカバー部材１０を位置決めしなければならない不便が生ずる。すなわち、カバー部材１０を配置する際、前記隙間寸法を計測しながら当該寸法が目標寸法に合うようにカバー部材１０の位置決めを行う必要があり、前記文献に記載されるようにカバー部材１０の垂直面１１を壁Ｗに当接させるようにしてカバー部材１０を配置する場合と比較して、配置作業する際の作業負担が大きくなる。
【００１３】
そこで本発明は、簡単な作業で、前記配線類の配索位置に応じて、前記配線類を挿通するための挿通部を設けることを可能にするカバー部材、及び、床構造、及び、その施工方法を提供することを目的とする。
【課題を解決するための手段】
【００１４】
請求項１記載の発明は、建築物のフロアのベース部分の上に配置される床材の縁部と、前記ベース部分から立直する壁面との隙間を覆うように設置されるカバー部材であって、前記床材と接続される接続部及び前記壁面に対向する対向部を有する本体部と、前記ベース部分から立直する壁面に当接可能な状態で前記対向部に固定された当接部材とを備え、前記本体部は、前記当接部材に使用されている材料よりも曲げ剛性の高い材料で形成され、前記当接部材は、前記本体部に使用されている材料よりも切断容易な材料により形成されていて、部分的に切除することが可能となるように構成されていることを特徴とする。
【００１５】
請求項２記載の発明は、請求項１記載のカバー部材において、前記本体部の接続部は、前記床材が形成する壁面と略平行をなす状態で前記隙間を覆うように配置されるカバー部を有し、このカバー部の一部が前記床材の縁部と接続される接続部とされ、前記対向部は、前記カバー部において前記接続部と反対側の端部から略垂直をなす角度で下方に向かって伸びる形状に形成され、この対向部の前記壁面に対向する面に前記当接部材が固定されていることを特徴とする。
【００１６】
請求項３記載の発明は、請求項２記載のカバー部材において、前記カバー部とともに前記床材の縁部を挟持すべく、前記対向部のうち前記カバー部よりも下方に位置する箇所から前記カバー部と略平行をなす角度で前記カバー部が形成されている側に伸びる挟持部が形成されていることを特徴とする。
【００１７】
請求項４記載の発明は、請求項１〜３のいずれか１項に記載のカバー部材において、前記本体部は、金属又は合成樹脂素材で形成され、前記当接部材は、前記本体部よりも軟質の合成樹脂又はゴム素材で形成されたことを特徴とする。
【００１８】
請求項５記載の発明は、請求項１〜４のいずれか１項に記載のカバー部材において、前記当接部材は、エラストマーで形成されたことを特徴とする。
【００１９】
請求項６記載の発明は、建築物のフロアのベース部分の上に配置される床材と、前記床材の縁部と前記ベース部分から立直する壁面との隙間を覆うように配置される請求項１〜５のいずれか１項に記載のカバー部材とを備えたことを特徴とする床材とカバー部材である。
【００２０】
請求項７記載の発明は、建築物のフロアのベース部分の上に床材が配置され、この床材の縁部と前記ベース部分から立直する壁面との隙間を覆うように請求項１〜５のいずれか１項に記載のカバー部材が配置される建築物の床構造であって、少なくとも一部分が前記壁面に略沿った状態で配線類が配索され、前記カバー部材には、その当接部材の一部が切除されることにより、前記配線類を挿通するための挿通部が形成され、前記カバー部材は、その接続部が前記床材の縁部に接続され、前記当接部材が前記壁面に当接し、かつ、前記挿通部に前記配線類が挿通された状態で、前記隙間を覆うように配置されていることを特徴とする。
【００２１】
請求項８記載の発明は、建築物のフロアのベース部分の上に配置される床材の縁部と前記ベース部分から立直する壁面との隙間を覆うように請求項１〜５のいずれか１項に記載のカバー部材を配置する建築物の床構造の施工方法であって、少なくとも一部分が前記壁面に略沿った状態で配線類を配索する配索工程と、前記カバー部材の当接部材の一部を切除することにより、前記配線類を挿通するための挿通部を形成する挿通部形成工程と、前記接続部を前記床材の縁部に接続し、かつ、前記当接部材が前記壁面に当接するように前記カバー部材を配置する配置工程とを含み、前記挿通部形成工程では、前記配置工程により配置されるカバー部材の挿通部に前記配線類が挿通可能となるように当該挿通部の形成位置を設定することを特徴とする。
【発明の効果】
【００２２】
請求項１、７、８にかかる発明によれば、前記当接部材は、前記本体部に使用されている材料よりも切断容易な材料で形成され、部分的に切除することが可能となるように構成されているため、前記当接部材の一部を適宜切除するだけで、前記配線類の配索位置に応じた好適な位置に、前記配線類を挿通するための挿通部を形成することが出来る。
【００２３】
したがって、前記特許文献１に記載のように、複数の開口部を無駄に設ける必要がなく、実際の作業現場に対応した必要な挿通部のみを設けてこれに前記配線類を挿通させることができる。
【００２４】
また、前記当接材料を前記壁面に当てるようにして前記カバー部材を設置出来るので、その位置決め作業も容易である。
【００２５】
さらに、前記本体部は、前記当接部材に使用されている材料よりも曲げ剛性の高い材料で形成されているため、前記本体部が撓むことを抑制することが出来、壁際に位置する床部分が撓むのを抑制することが出来る。
【００２６】
前記対向部の具体的な形状は特に問わないが、請求項２の記載の発明の構成のように、前記接続部から略垂直をなす角度で下方に向かって伸びる形状に形成すれば、この対向部の前記壁面に対向する面の面積を広く確保することが出来、前記対向部と前記当接部材との固定面積を大きくすることが可能となる。したがって、前記当接部材と前記対向部との固定をより強固にすることが可能となる。
【００２７】
請求項３にかかる発明によれば、前記カバー部と前記挟持部とで前記床材の縁部を挟持することが可能となるため、前記カバー部材と前記床材との固定をより確実に行うことが可能になる。
【００２８】
請求項４にかかる発明によれば、前記当接部材は前記本体部よりも軟質の合成樹脂又はゴム素材で形成されているため、前記当接部材を前記壁面に当接させたとき、建築物からの振動等によって、前記壁面と前記当接部材との間に摩擦音が発生することを抑制することが出来る。特に、請求項５記載の発明のように前記当接部材にエラストマーを用いる場合、より効果的に前記摩擦音が発生することを抑制することができる。
【００２９】
また、前記本体部は前記当接部材より硬質な金属材料又は合成樹脂材料を用いているため、前記本体部が撓むことを抑制することが出来、壁際に位置する床部分が撓むのを抑制することが出来る。
【発明を実施するための最良の形態】
【００３０】
本発明の実施の形態につき、図１〜図７を用いて説明する。
【００３１】
第一実施形態（図１〜図５参照）
まず、図１、図２を用いて、本実施形態にかかる床構造について説明する。
【００３２】
この床構造では、建築物のフロアのベースＢの上に床材１００が配置され、この床材１００の縁部ＥとベースＢから立直する壁Ｗとの隙間３００を覆うようにカバー部材２００が配置されている。
【００３３】
床材１００は、上面視において略正方形をなす直方体状に形成され、その上面、すなわち床面には上から見て略十字形状に配線溝１１０が形成されている。そして、この床材１００は、壁Ｗ際を除いたベースＢ上に、隣接する床材１００に形成された配線溝１１０同士が連続する状態で複数個敷き詰められ、この配線溝１１０内には、電話線、ＬＡＮケーブル、電線等の配線類Ｃが配索されている。この配線類Ｃは、配線溝１１０内だけでなく、壁Ｗにも沿った状態で配置されている。さらに、配線溝１１０を覆うように、配線溝１１０の両側部の上端同士を繋ぐように被覆部材１２０が配置されている。
【００３４】
カバー部材２００は、図３に示すような本体部２１０と当接部材２２０とを備えている。
【００３５】
本体部２１０は、図例では板材により形成され、前記床材１００の縁部Ｅに沿って延び（図１参照）、その長手方向と直交する方向に切った断面が略Ｌ字状をなしている。
【００３６】
具体的に、この本体部２１０は、水平方向に延びるカバー部２１１と、垂直方向に延びる対向部２１２とを有している。
【００３７】
前記カバー部２１１は、図２に示すように、前記床面（床材１００の上面）と略平行をなす状態で前記床材１００の縁部Ｅと壁Ｗの壁面との隙間３００を覆うように配置されるものであり、その一方の端部が前記縁部Ｅの上に重なるように当該縁部Ｅに接続される接続部２１３とされている。この接続部２１３の領域は、前記隙間３００の寸法によって適宜変えられる。
【００３８】
前記対向部２１２は、前記カバー部２１１の他方の端部すなわち壁面寄りの端部から下方に延びており、図例では前記床材１００の高さ寸法よりも小さい高さ寸法を有したものとなっている。
【００３９】
本体部２１０を構成する材料としては、比較的剛性及びせん断強度が高いものが好ましく、具体的には、ステンレス鋼等の金属材料や比較的硬質の合成樹脂材料等が好適である。
【００４０】
当接部材２２０は、図３に示すようにブロック状に形成され、前記対向部２１２の面のうち前記壁面に対向する面（図２及び図５では左側の面）のほぼ全域に接着剤等によって固着されている。そして、図１、図２に示すように、この当接部材２２０の外側面が前記壁面に当接し、かつ、前記カバー部２１１の一部が前記接続部２１３として床材１００の縁部Ｅに重なる状態で、カバー部材２００全体が配置可能となるように、そのカバー部２１１の寸法が設定されている。
【００４１】
前記当接部材２２０は、前記本体部２１０を構成する材料よりもせん断強度の低い材料で形成されており、この当接部材２２０を部分的に切除することにより例えば図４に示すような挿通部２２１を形成することが可能となっている。この挿通部２２１は、後に詳述するように、壁Ｗの壁面に沿って配索される配線類Ｃを挿通するためのものである。
【００４２】
この当接部材２２０の材質としては、前記本体部２１０を構成する材料よりもせん断強度の低い素材であれば特に限定されるものではなく、例えば、発泡ポリエチレン、発泡ポリプロピレン、発泡ウレタン、発泡ポリスチレン等の発泡性合成樹脂、ＥＰＤＭ（エチレン−プロピレンゴム）、ＮＢＲ（ニトリルゴム）、ＣＲ（クロロピレンゴム）、ＩＩＲ（ブチルゴム）等の合成ゴム等を用いることが出来る。もっとも、これらの素材のうち、軟質で柔軟性に富む素材、すなわちエラストマーを用いることが好ましい。さらに具体的には、発泡ポリエチレン、ＥＰＤＭ等を用いるのが特に好ましい。
【００４３】
次に、この床構造の施工方法について説明する。
【００４４】
まず、ベースＢ上に床材１００を設置する。
【００４５】
次に、この床材１００の配線溝１１０の内部、及び、壁Ｗの壁面上に配線類Ｃを配索する（配索工程）。
【００４６】
一方、図３に示すようなカバー部材２００において、このカバー部材２００の当接部材２２０の一部を、カッタナイフ、ドリル等を用いて切除することにより、図４に示すような挿通部２２１を形成する（挿通部形成工程）。挿通部２２１を形成する位置は、このカバー部材２００が前記床構造に配置されたとき、壁Ｗにおける配線類Ｃの配索位置に対応する箇所に設定する。
【００４７】
次に、カバー部材２００の当接部材２２０が壁面に当接する位置にカバー部材２００を配置する（配置工程：図５、図２参照）。この配置により、カバー部材２００のカバー部２１１が隙間３００を覆い、かつ、このカバー部２１１の一部が接続部２１３として床材１００の縁部Ｅに重ねられるようにこの縁部Ｅに接続される。
【００４８】
このとき、挿通部２２１の配置位置と壁Ｗの際における配線類Ｃの配置位置とを一致させるようにし、挿通部２２１内に前記配線類Ｃを挿通させる。
【００４９】
以上の構成を採ると、カバー部材２００の当接部材２２０は、本体部２１０よりもせん断強度の低い素材で形成されているため、部分的に切除することを容易に行うことが出来、この当接部材２２０の一部を適宜切除するだけで、配線類Ｃの配索位置に応じた好適な位置に配線類Ｃを挿通するための挿通部２２１を形成することが出来る。
【００５０】
したがって、従来技術のように、複数の開口部を無駄に設ける必要がなく、実際の作業現場に対応した必要な挿通部のみを設けてこれに前記配線類を挿通させることができる。
【００５１】
また、カバー部材２００の配置は、この当接部材２２０を壁Ｗに当てるようにして行うことが出来るので、その位置決め作業も容易である。
【００５２】
さらに、当接部材２２０は、柔軟性に富む素材、すなわち軟質の素材で形成されているため、この当接部材２２０を壁Ｗに当接させたとき、建築物からの振動等によって、壁Ｗと当接部材２２０との間に摩擦音が発生することを抑制することが出来る。
【００５３】
また、本体部２１０は金属材料や硬質の合成樹脂等のように、比較的硬質の材料を用いているため、本体部２１０が撓むことを抑制することが出来、壁際に位置する床部分が撓むのを抑制することが出来る。
【００５４】
以下において他の実施形態について説明する。なお、前記実施形態と同構成のものについては、同一符号を付すのみとし、その詳細な説明は省略する。
【００５５】
第二実施形態（図６、図７参照）
本実施形態の床構造のベースＢ上には、図６に示すとおり、束柱１３０が配置されている。
【００５６】
この束柱１３０は、ベースＢと接触する土台１３１と、土台１３１の上に立直し束柱１３０の高さを調節する雄ねじ部１３２と、雄ねじ部１３２の上側に位置し、この雄ねじ部１３２と螺合する雌ねじ部を有する本体部１３３と、本体部１３３の上側に位置してこの束柱１３０の上端部分を占め、上面１３４ａが略平面状に形成されている上端部１３４とを有している。
【００５７】
そして、この束柱１３０が一定間隔を隔てた状態で複数配置され、これらの束柱１３０の上端部１３４の上面１３４ａ上に床材１００が載せられることにより、この床材１００はベースＢから一定高さを保った状態で支持されている。
【００５８】
すなわち、床材１００とベースＢとの間に空間Ｓが存在し、この空間Ｓ内に配線類Ｃが配索されている。
【００５９】
本実施形態のカバー部材２００は、図６、図７に示すとおり、本体部２１０の対向部２１２のうち、前記カバー部２１１よりも下方に位置する箇所から前記カバー部と略平行をなす角度で、前記カバー部が形成されている側に伸びるように挟持部２１４が形成されている。
【００６０】
この挟持部２１４は、床材１００の下側に配置され、接続部２１３とともに床材１００の縁部Ｅを上下両側から挟持している。
【００６１】
この床構造を施工する場合、まずベースＢ上に束柱１３０を配置し、次に空間Ｓ内及び壁Ｗ際に配線類Ｃを配索する。
【００６２】
そして、カバー部材２００の当接部材２２０の一部をカッター等で切除して挿通部２２１を形成し、壁Ｗ際に配策した配線類Ｃと対応する箇所に挿通部２２１が位置するようにカバー部材２００を配置する。
【００６３】
最後に、カバー部材２００のカバー部２１１と挟持部２１４との間に床材１００の縁部Ｅを差し込むようにして当該縁部Ｅを上端部１３４上に配置することにより、前記床構造を施工する。なお、カバー部２１１のうち、床材１００と接触して前記挟持部２１４とともに前記縁部Ｅを挟持する部分が接続部２１３となる。
【００６４】
以上の構成を採ると、カバー部２１１と挟持部２１４とで床材１００の縁部Ｅを挟持することが可能となる。したがって、カバー部材２００と床材１００との固定をより確実に行うことが可能になる。
【００６５】
その他実施形態
対向部２１２は、必ずしも接続部２１３から下方に伸びる状態で配置される形状に形成する必要はない。例えば、接続部２１３から上方に伸びる状態、又は、上方及び下方に伸びる状態で配置される形状に、対向部２１２を形成してもよい。もっとも、下方に伸びる状態で配置されるほうが、床の位置よりも上側に対向部２１２及び当接部材２２０が突出しないため、床面の美観を保つ上では、より好ましい。
【００６６】
さらには、接続部２１３は上方にも下方にも伸びない形状、すなわち、前記カバー部材２００全体が一枚の板材となる形状に形成されるようにしてもよい。かかる構成の場合、この板材の厚み部分に該当する部分のうち、壁Ｗに対向する部分が対向部２１２となり、かかる部分に当接部材２２０が固定されることになる。
【００６７】
もっとも、接続部２１３から下方及び上方のうち少なくとも一方に伸びる形状に対向部２１２を形成したほうが、対向部２１２の壁Ｗに対向する面の面積を広く確保することが出来、対向部２１２と当接部材２２０との固定面積を大きくすることが可能となり、当接部材２２０と対向部２１２との固定をより強固にすることが可能となる。
【００６８】
さらに、挿通部２２１は、必ずしも、図２、図３に示すように切欠形状にする必要はなく、ドリルやキリ等を用いて当接部材２２０に上下方向の貫通孔を穿設するようにしてもよい。
【図面の簡単な説明】
【００６９】
【図１】本発明の第一実施形態にかかる床構造の概略を示した平面図である。
【図２】図１のＩＩ−ＩＩ断面図である。
【図３】本発明の第一実施形態にかかるカバー部材の概略を示した斜視図である。
【図４】本発明の第一実施形態にかかるカバー部材において、挿通孔を形成した状態を示した斜視図である。
【図５】本発明の第一実施形態にかかるカバー部材を取り付ける工程を示した断面図である。
【図６】本発明の第二実施形態にかかる床構造の概略を示した正面断面図である。
【図７】本発明の第二実施形態にかかるカバー部材の概略を示した斜視図である。
【図８】従来の床構造の概略を示した斜視図である。
【符号の説明】
【００７０】
１００      床材
２００      カバー部材
２１０      本体部
２１１      カバー部
２１２      対向部
２１３      接続部
２１４      挟持部
２２０      当接部材
２２１      挿通部
３００      隙間
Ｂ    ベース
Ｃ    配線類
Ｗ    壁
Ｅ    床材の縁部
【図１】
2005240468.tif 000003
【図２】
2005240468.tif 000004
【図３】
2005240468.tif 000005
【図４】
2005240468.tif 000006
【図５】
2005240468.tif 000007
【図６】
2005240468.tif 000008
【図７】
2005240468.tif 000009
【図８】
2005240468.tif 000010